(57)【要約】【課題】風にあおられたドアの開放衝撃でワイヤーが切断し、あるいは開放衝撃によってドアの壁面などが変形し破損するのを確実に防止でき、しかも全開時の反動によるドアの閉じ動作を解消できるあおり止め具を提供する。【解決手段】ドア１、およびドア枠２に固定されるワイヤー保持体６・７と、両ワイヤー保持体６・７を連結してドア１の開放限界を規制するワイヤー５とからなる。ドア１側のワイヤー保持体６を、ドア１の開放を緩和吸収する衝撃吸収体１１と、ブラケット１３で構成する。衝撃吸収体１１は、筒状に形成される緩衝体２５と、緩衝体２５を支持する支持具２６と、エンド金具９を受け止める受金具２７とで構成する。緩衝体２５を低反発性ゴムで形成し、ワイヤー５に作用する開放衝撃を緩衝体２５で緩和吸収する。【選択図】図１
2008274672.tif 000002
【特許請求の範囲】
【請求項１】
ドア（１）に固定されるワイヤー保持体（６）と、ドア枠（２）に固定されるワイヤー保持体（７）と、両ワイヤー保持体（６・７）を連結してドア（１）の開放限界を規制するワイヤー（５）を備えており、
ドア（１）が開放限界まで開放されるとき、ワイヤー（５）の端部に固定したエンド金具（９）を受け止める側のワイヤー保持体（６）が、ドア（１）の開放衝撃を緩和吸収する衝撃吸収体（１１）と、衝撃吸収体（１１）を支持するブラケット（１３）を含んで構成されており、
衝撃吸収体（１１）が低反発性ゴムで形成した緩衝体（２５）を主体にして構成してあることを特徴とするあおり止め具。
【請求項２】
緩衝体（２５）が単一のブロックで構成されて、その内部にワイヤー（５）を通す挿通穴（２９）が形成してある請求項１記載のあおり止め具。
【請求項３】
衝撃吸収体（１１）が、筒状に形成される緩衝体（２５）と、ブラケット（１３）に装着されて緩衝体（２５）を支持する支持具（２６）と、緩衝体（２５）の突端に配置されてエンド金具（９）を受け止める受金具（２７）とで構成してある請求項１または２記載のあおり止め具。
【請求項４】
ブラケット（１３）が、締結壁（１４）と、締結壁（１４）に連続する左右一対の側壁（１５）と、両側壁（１５）を繋ぐ前壁（１６）とで構成されており、
受金具（２７）、緩衝体（２５）、支持具（２６）の三者が左右一対の側壁（１５）の間に配置されて、支持具（２６）が、締結壁（１４）と前壁（１６）とで両持ち支持された一方の側壁（１５）で受け止め保持してある請求項３記載のあおり止め具。
【請求項５】
支持具（２６）が、緩衝体（２５）の一端を受け止める基体ブロック（３１）と、緩衝体（２５）を支持するガイド筒（３２）とを備えており、
受金具（２７）が、一方の側壁（１５）に設けたガイド穴（２１）とガイド筒（３２）とでスライド可能に案内支持されている請求項３または４記載のあおり止め具。
【発明の詳細な説明】
【技術分野】
【０００１】
本発明は、ワイヤーを規制要素にして、ドアや窓などの開放限界を規制するあおり止め具に関する。
【背景技術】
【０００２】
ワイヤーを規制要素とするあおり止め具は特許文献１に公知である。そこでは、ワイヤーの一端をボールチャックとブラケットを介してドア枠に固定し、ワイヤーの他端に固定したエンド金具をドアに固定したブラケットで保持している。ボールチャック用のブラケットのワイヤー導出部分には、コイルばね製の屈曲緩和具が装着してある。このように、屈曲緩和具を備えたあおり止め具によれば、ドアを開放した状態において、両ブラケットを最短距離で結ぶワイヤーが、各ブラケットからの導出部分において急な角度でく字状に折れ曲がるのを解消できる。エンド金具用のブラケットには、ワイヤーがく字状に折れ曲がるのを防ぐベルマウス状の逃げ部が形成してある。
【０００３】
特許文献２にも同様のあおり止め具が提案されており、そこでは、筒状のケースの内部にエンド金具を受け止める衝撃吸収ばねを配置して、開きかけたドアが風にあおられて開放限界まで急に開放揺動するような場合に、衝撃吸収ばねが圧縮変形することでワイヤーに作用する衝撃力を緩和できるようにしている。
【０００４】
【特許文献１】特開２００５−３４４３８５号公報（段落番号００２４、図４）
【特許文献２】特開２００６−５７４３８号公報（段落番号００３８、図４）
【発明の開示】
【発明が解決しようとする課題】
【０００５】
上記のように、屈曲緩和具を備えたあおり止め具によれば、ドア開放時にワイヤーがく字状に折れ曲がるのを防止して、ワイヤーの強度が低下するのを防止できる。また、衝撃吸収ばねを備えたあおり止め具では、風にあおられたドアが急に開放揺動するような場合に、ワイヤーに作用する衝撃を衝撃吸収ばねで緩和できる。
【０００６】
しかし、集合住宅の高層階に設けられたメーターボックスのドアや、突風が生じやすい地域に設けられたメーターボックスのドアなどでは、先のようなワイヤー保護構造が設けてあるにもかかわらず、ワイヤー切断事故が少なからず発生している。切断したワイヤーは長さが不足するので交換する以外になく、交換に手間とコストが掛かる。また、衝撃吸収ばねを備えたあおり止め具においては、稀にではあるが、開放限界位置まで開放したドアが全圧縮した衝撃吸収ばねの反動で急に閉じ移動することがあり、ドアを開閉する際に細心の注意を払う必要がある。
【０００７】
上記のようなワイヤー切断事故は、ワイヤーに対して強い衝撃が繰り返し作用することで、ワイヤーが伸び変形して強度が徐々に低下するのが原因であると考えられている。その限りでは、ワイヤー径を太くし、ワイヤー強度を増強することでワイヤー切断事故を解消できる。しかし新たな問題を生じる。ワイヤー径を太くするとワイヤー切断事故は防止できるが、ワイヤー強度が向上するのに伴いエンド金具を受け止めるブラケットが変形し、あるいはブラケットが締結されたドア桟やドア壁が変形する。とくに、メーターボックスのドアは、玄関ドアなどに比べて構造が簡単で、ドア全体の構造強度が小さいため、ブラケットの締結箇所に衝撃荷重が集中してドア壁面が大きく凹み変形することがある。このように変形したドアは交換するしかないが、ドア交換に要する費用は、ワイヤー交換のための費用に比べて多額の費用が掛かってしまう。
【０００８】
本発明の目的は、風にあおられたドアを開放規制するワイヤーが、ドアの開放衝撃を受けて切断するのを防止でき、しかも開放衝撃によってドアの壁面やドア側のブラケットが変形し、あるいは破損するのを確実に防止できるあおり止め具を提供することにある。本発明の目的は、風にあおられたドアの開放衝撃を緩和吸収できるにもかかわらず、コイルばねで開放衝撃を緩和する際に避けられない、反動によるドアの閉じ動作を解消することができ、したがってドアの開閉を安全に行えるあおり止め具を提供することにある。
【課題を解決するための手段】
【０００９】
本発明のあおり止め具は、ドア１に固定されるワイヤー保持体６と、ドア枠２に固定されるワイヤー保持体７と、両ワイヤー保持体６・７を連結してドア１の開放限界を規制するワイヤー５を備えている。ドア１が開放限界まで開放されるとき、ワイヤー５の端部に固定したエンド金具９を受け止める側のワイヤー保持体６を、ドア１の開放衝撃を緩和吸収する衝撃吸収体１１と、衝撃吸収体１１を支持するブラケット１３を含んで構成する。以て、衝撃吸収体１１が、低反発性ゴムで形成した緩衝体２５を主体にして構成してあることを特徴とする。
【００１０】
緩衝体２５は単一のブロックで構成されており、その内部にワイヤー５を通す挿通穴２９が形成してある。
【００１１】
衝撃吸収体１１は、筒状に形成される緩衝体２５と、ブラケット１３に装着されて緩衝体２５を支持する支持具２６と、緩衝体２５の突端に配置されてエンド金具９を受け止める受金具２７とで構成する。
【００１２】
ブラケット１３は、締結壁１４と、締結壁１４に連続する左右一対の側壁１５と、両側壁１５を繋ぐ前壁１６とで構成する。受金具２７、緩衝体２５、支持具２６の三者は左右一対の側壁１５の間に配置する。支持具２６は、締結壁１４と前壁１６とで両持ち支持された一方の側壁１５で受け止め保持する。
【００１３】
支持具２６は、緩衝体２５の一端を受け止める基体ブロック３１と、緩衝体２５を支持するガイド筒３２とを備えている。受金具２７を、一方の側壁１５に設けたガイド穴２１とガイド筒３２とでスライド可能に案内支持する。
【発明の効果】
【００１４】
本発明では、例えばドア１の側に固定されるワイヤー保持体６を、ドア１の開放衝撃を緩和吸収する衝撃吸収体１１と、衝撃吸収体１１を支持するブラケット１３などで構成し、衝撃吸収体１１を低反発性ゴムで形成した緩衝体２５を主体にして構成した。このように、低反発性ゴム製の緩衝体２５を備えた衝撃吸収体１１によれば、ドア１が風にあおられて開放限界位置まで急に開放するときに生じる衝撃を、緩衝体２５が圧縮変形することで一瞬にして緩和吸収できるので、ワイヤー５に過大な衝撃荷重が作用するのを阻止できる。したがって、ドア１が風にあおられて繰り返し開放揺動される場合でも、過剰な緊張力が作用してワイヤー５が切断し、あるいは伸び変形するのを確実に、しかも長期にわたって防止できる。同時に、ブラケット１３やブラケット１３を締結したドア壁面が変形することをも同時に解消できる。また、低反発性ゴムで形成した緩衝体２５は、衝撃を受けて圧縮変形された状態のまま殆ど反発しないので、緩衝体２５の反動によるをドア閉じ動作を一掃できることとなり、ドア１を安全にしかも使用者の意図通りに閉じることができる。
【００１５】
内部にワイヤー５用の挿通穴２９を備えた、単一のブロックからなる緩衝体２５によれば、例えば複数個の緩衝体２５でワイヤー５の衝撃を緩和吸収する場合に比べて、衝撃吸収体１１の構造を簡素化し、その分だけあおり止め具の製造に要するコストを削減できる。挿通穴２９に挿通したワイヤー５の衝撃力を、エンド金具９を介して緩衝体２５の全体で受け止めるので、緩衝体２５の全体が圧縮変形することで衝撃を効果的に緩和吸収でき、その分だけ緩衝体２５を小形化できる。
【００１６】
筒状に形成される緩衝体２５と、緩衝体２５を支持する支持具２６と、緩衝体２５の突端に配置されてエンド金具９を受け止める受金具２７とで構成した衝撃吸収体１１によれば、ドア１の開放衝撃を受金具２７で緩衝体２５に均等に分散した状態で伝えることができ、さらに支持具２６で均等に受け止めることができるので、衝撃を受けるときの緩衝体２５の圧縮変形態様がばらつくのを一掃して、衝撃の緩和吸収作用を常に安定した状態で発揮できる。個々の衝撃吸収体１１の違いに基づく、衝撃の緩和吸収作用のばらつきをも一掃できる。
【００１７】
締結壁１４と、左右一対の側壁１５と、両側壁１５を繋ぐ前壁１６とでブラケット１３を構成し、受金具２７、緩衝体２５、支持具２６の三者を左右一対の側壁１５の間に配置し、一方の側壁１５で支持具２６を受け止め保持する衝撃吸収体１１によれば、支持具２６側の側壁１５を締結壁１４と前壁１６とで両持ち支持して、その構造強度を高めることができるので、同じ壁厚みの片持ち梁状の側壁で支持具２６を保持する場合に比べて、衝撃による側壁１５の変形や破損を確実に防止できる。構造強度を向上できる分だけ、側壁１５の壁厚みを薄くできる利点もある。
【００１８】
緩衝体２５の一端を受け止める基体ブロック３１と、緩衝体２５を支持するガイド筒３２とで支持具２６を構成し、受金具２７を、一方の側壁１５に設けたガイド穴２１と、先のガイド筒３２とでスライド可能に案内支持する衝撃吸収体１１によれば、緩衝体２５と支持具２６と受金具２７の三者を同心状に位置決めできる。したがって、ドア１の開放衝撃を、受金具２７から緩衝体２５へ的確にしかも均等に伝え、さらに支持具２６で緩衝体２５を均等に受け止めて、開放衝撃を緩衝体２５で的確かつ効果的に緩和吸収できる。
【発明を実施するための最良の形態】
【００１９】
（実施例１）  図１ないし図５は本発明に係るあおり止め具の実施例１を示す。図１および図２において符号１はドア、２はドア枠、３はドア１を揺動開閉自在に支持するヒンジである。ドア１を閉じ位置から概ね９０度開放した状態で開放規制するために、ドア１とドア枠２との間にワイヤー５を規制要素とするあおり止め具を設けている。あおり止め具は、ドア１に固定されるワイヤー保持体６と、ドア枠２に固定されるワイヤー保持体７と、両ワイヤー保持体６・７を連結するワイヤー５などで構成する。ワイヤー５は撚り線ワイヤーからなり、そのドア側の端部に球状のエンド金具９がかしめ固定してある。
【００２０】
図２に示すように、ドア１側のワイヤー保持体６は、エンド金具９を介して伝わるドア１の開放衝撃を緩和吸収する衝撃吸収体１１と、衝撃吸収体１１を支持するブラケット１３とで構成する。ブラケット１３は、左右一対の締結壁１４と、締結壁１４に連続して折り曲げられる左右一対の側壁１５・１５と、両側壁１５・１５を繋ぐ前壁１６を一体に備えた上下面が開口するプレス金具からなり、ステンレス板材を素材にして形成してある。
【００２１】
締結壁１４は、両側壁１５・１５および前壁１６の上縁より上方へ突出してあり、この突出部分の左右の板面にビス挿通穴１７が通設してある。左右の側壁１５のうち、図３に向かって左方の側壁にはバーリング加工を施して、位置決め座１９が壁内面側へ膨出する状態で形成され、壁外面側にベルマウス状の逃げ面２０が形成してある。右方の側壁１５には、後述する受金具２７用のガイド穴２１が通設してある。
【００２２】
衝撃吸収体１１は、低反発性ゴムで形成した緩衝体２５を主体にして構成する。詳しくは、低反発性ゴムを素材にして筒状に形成される緩衝体２５と、ブラケット１３に装着されて緩衝体２５を支持する支持具２６と、緩衝体２５の突端に配置されてエンド金具９を受け止める受金具２７とで衝撃吸収体１１を構成している。低反発性ゴムとしては、市販されている内外ゴム工業株式会社のハネナイト（登録商標）や、反発弾性が１５％以下（ＪＩＳ  Ｋ  ６４００−３）のウレタン樹脂を素材とする低反発弾性フォームなどを適用できるが、前者の低反発性ゴムが好適である。
【００２３】
緩衝体２５は、射出成形された円筒状の単一のブロックとして形成してあり、その内部にワイヤー５を通すための挿通穴２９が形成してある。支持具２６は、緩衝体２５の一端を受け止める基体ブロック３１と、緩衝体２５を支持するガイド筒３２とで構成する。基体ブロック３１は、先の位置決め座１９に外嵌合する凹部３３と、逃げ面２０の内端に連続する通口３４とを備えた円筒状の旋削品からなる。ガイド筒３２は、内径寸法がワイヤー５の直径より僅かに大きな管材からなり、その一端を先の通口３４にねじ込むことにより基体ブロック３１と一体化してある。
【００２４】
受金具２７は、緩衝体２５の端面を受け止めるフランジ壁３６と、エンド金具９を受け止める筒軸３７とを一体に備えた旋削品からなり、その軸心に沿ってガイド筒３２より僅かに大径の通口３８が貫通状に形成してある。緩衝体２５、支持具２６、受金具２７の三者は、ブラケット１３に対して次の要領で組み付ける。まず、受金具２７の筒軸３７を、右側の側壁１５の内面側からガイド穴２１に差し込む。次に、ガイド筒３２に緩衝体２５を外嵌装着したのち、ガイド筒３２の突端を受金具２７の通口３８に差し込み、緩衝体２５を圧縮変形させながら基体ブロック３１を左側の側壁１５の内面にあてがい、その凹部３３を位置決め座１９に嵌め込んで衝撃吸収体１１を完成する。
【００２５】
上記のように、緩衝体２５、支持具２６、受金具２７をブラケット１３に組み込んだ状態では、図３に示すように支持具２６および受金具２７が左右の側壁で受け止め保持されており、受金具２７は、ガイド穴２１とガイド筒３２とで出退スライド可能に案内支持されている。緩衝体２５は自由状態にあるか、僅かに圧縮変形された状態になっている。
【００２６】
図４に示すように、ドア枠２側のワイヤー保持体７は、ワイヤー５の自由端を補足固定するボールチャック４１と、ワイヤー５がく字状に折れ曲がるのを防止する屈曲緩和具１２と、ボールチャック４１および屈曲緩和具１２を支持するブラケット４２とで構成する。
【００２７】
ボールチャック４１は、内面にテーパー壁４４が形成してあるケース体４５と、ケース体４５内に挿嵌されて３個のスチール製のボール４６を保持するボールホルダー４７と、ボールホルダー４７をテーパー壁４４へ向かって押し付け付勢する圧縮コイル形のばね４８と、ケース体４５の内面にねじ込み装着されるばね受４９などで構成する。ボールホルダー４７には、ボール４６をクランプ解除するための操作軸５０が一体に設けてあり、操作軸５０の突端部分はばね受４９の側からケース外へ突出している。テーパー壁４４の小径端に隣接するケース端壁にはねじ穴５１が形成してある。
【００２８】
ブラケット４２は、締結座５４の一端に支持腕５５を直交状に折り曲げ形成した、ステンレス板材を素材とするＬ字状のプレス金具からなる。支持腕５５には、屈曲緩和具１２用のねじ穴５６が形成してあり、このねじ穴５６の呼び径およびねじピッチは、先のケース体４５に設けたねじ穴５１の呼び径およびねじピッチと一致している。
【００２９】
屈曲緩和具１２は、密巻状のコイルばねからなり、ブラケット４２の支持腕５５、およびケース体４５にねじ込み連結されるねじ軸部５８と、ねじ軸部５８より小径の屈曲部５９とを一体に備えている。ねじ軸部５８における素線の隣接ピッチは、先のねじ穴５１・５５のねじピッチに一致させてある。屈曲部５９は、その内面がワイヤー５の周面に密着する内径寸法に設定してある。ケース体４５のねじ穴５１にねじ軸部５８をねじ込み装着して、屈曲緩和具１２をケース体４５と一体化したのち、支持腕５５のねじ穴５５に屈曲部５９を差し込み、さらにねじ軸部５８をねじ穴５５にねじ込むことにより、ボールチャック４１および屈曲緩和具１２をブラケット４２と一体化できる。
【００３０】
図１および図４に示すように、支持腕５５が下向きになる状態で締結座５４をドア枠２の上框にあてがい、ブラケット４２をビス６０で締結することにより、ワイヤー保持体７がドア枠２に固定される。また、ドア１側のワイヤー保持体６は、図１に示すように締結壁１４をドア１の内面壁あるいはドア桟にあてがい、ブラケット１３をビス６１で締結することによりドア１に固定される。この状態で、ワイヤー５の自由端を受金具２７の側から衝撃吸収体１１およびブラケット１３に挿通し、さらに屈曲緩和具１２およびボールチャック４１に挿通して、ワイヤー５の緊張長さを適宜調整することにより、ドア１の開放限界をワイヤー５の全長の範囲内で任意量に設定できる。なお、ワイヤー５を予めワイヤー保持体６・７に挿通しておいて、各ワイヤー保持体６・７をドア１およびドア枠２に締結してもよい。
【００３１】
次に、主として衝撃吸収体１１の緩衝作用を説明する。ドア閉じ状態におけるワイヤー５は、多くの場合その中途部が自重で垂れ下がってＵ字状に湾曲している。閉じ状態のドア１を開きかけたとき、ドア１が風にあおられて限界位置まで急に開放揺動することがある。その場合には弛んでいたワイヤー５がドア１に引っ張られて、両ワイヤー保持体６・７を最短距離で結ぶ。このとき、ワイヤー５の端部に固定されたエンド金具９は、ワイヤー５に引っ張られて受金具２７の突端に接当し、受金具２７を介して緩衝体２５を基体ブロック３１の側へ衝撃的に押し付ける。
【００３２】
ドア１の開放衝撃を受けた緩衝体２５は、圧縮する向きに弾性変形し、図３に想像線で示すように緩衝体２５の内外周面が膨らむことで衝撃力を一瞬にして緩和吸収する。弾性変形によって緩衝体２５に吸収された衝撃エネルギーの殆どは、熱エネルギーとなって放出される。これにより、ワイヤー５に過大な衝撃荷重が作用するのを阻止できるので、過剰な緊張力が作用してワイヤー５が切断し、あるいは伸び変形するのを確実に防止できる。ブラケット１３を締結したドア壁面が変形することも解消できる。さらに、基体ブロック３１が支持される側壁１５を締結壁１４と前壁１６とで両持ち支持するので、側壁１５が衝撃を受けて変形することもない。なお、緩衝体２５が圧縮変形するときの前後周面の膨らみは、締結壁１４および前壁１６によって規制される（図５参照）。
【００３３】
ドア１が風にあおられて開放限界位置まで急に開放揺動するとき、ブラケット１３側のワイヤー導出部分は、図５に示すように逃げ面２０のベルマウス形状に沿って緩やかに湾曲する。また、ボールチャック４１側のワイヤー導出部分は、図１に示すように屈曲緩和具１２が屈曲変形して衝撃を吸収し、同時に屈曲緩和具１２の弾性力がワイヤー５の屈曲に反発するので、各ワイヤー導出部分においてワイヤー５がく字状に折れ曲がるのを防止できる。
【００３４】
例えば、緩衝体２５が圧縮コイルばねで形成してある場合には、急開放したドア１が圧縮されたばねの反動によって急に閉じ操作されるのを避けられない。しかし、低反発性ゴムで形成した緩衝体２５は、衝撃を受けて圧縮変形された状態のまま殆ど反発しない。そのため、緩衝体２５の反動によるをドア閉じ動作を一掃でき、ドア１を安全にしかも使用者の意図通りに閉じることができる。圧縮変形された緩衝体２５は、ワイヤー１に作用する引っ張り力が開放されたのち、徐々に自由状態時の外形形状に復帰し、図３に示す待機状態に復元する。
【００３５】
（実施例２）  図６および図７は、ドア１側のワイヤー保持具６の変形例を示す。そこでは、ブラケット１３を四角形状の平板で形成し、そのドア壁面との対向面側に衝撃吸収体１１を配置するようにした。実施例１における支持具２６のガイド筒３２と、受金具２７の筒軸３７は省略し、ワイヤー導出部分に屈曲緩和具１２を付加した。
【００３６】
ブラケット１３は、上半分がビス挿通穴１７を備えた締結壁１４として機能し、下半部側板面の左右中央に位置決め座１９と逃げ面２０が形成してある。位置決め座１９の内面と支持具２６を構成する基体ブロック３１の内面には、屈曲緩和具１２をねじ込むためのねじ穴１９ａ・３１ａがそれぞれ形成してある。屈曲緩和具１２は、先の実施例１で説明した屈曲緩和具１２と同じものである。緩衝体２５は円筒状に形成するが、その内面にはワイヤー５より僅かに大径の挿通穴２９を軸心に沿って形成する。受金具２７は円盤状に形成し、そのドア壁面との対向面の側にエンド金具９を受け止めるテーパー面状の座面６４が凹み形成してある。緩衝体２５は、基体ブロック３１の端面、および受金具２７の端面にそれぞれ接着固定してある。他は先の実施例１と同じであるので、同じ部材に同じ符号を付してその説明を省略する。以下の実施例においても同様に扱う。
【００３７】
上記のように構成したワイヤー保持具６によれば、実施例１のあおり止め具と同様に、緩衝体２５が圧縮変形することでドア１の開放衝撃を緩和吸収でき、反動によるドア閉じ動作も防止できる。また、ワイヤー導出部分においてワイヤー５がく字状に折れ曲がるのを屈曲緩和具１２で防止できる。実施例１のブラケット１３においても、この実施例と同様にワイヤー導出部分に屈曲緩和具１２を付加装着することができる。
【００３８】
（実施例３）  図８および図９は、ドア１側のワイヤー保持具６の別の変形例を示す。そこでは、ブラケット１３を、実施例１におけるドア枠２側のブラケット４２と同様に、締結座６６と支持腕６７とで断面Ｌ字状に形成し、全体の上下幅を拡大した。そのうえで、締結座６６の板面の上下に左右一対ずつのビス挿通穴１７を形成し、支持腕６７の上下に位置決め座１９と逃げ面２０を形成した。衝撃吸収体１１は実施例２と同様に形成するが、緩衝体２５の全長寸法を実施例２の緩衝体２５より大きく設定した。この実施例のワイヤー保持具６によれば、ブラケット１３の上下を反転してドア１に装着することにより、右開きドアと左開きドアのどちらにでもワイヤー保持具６を適用して、左右の勝手違いに対応できるので、左専用のブラケット１３と右専用のブラケット１３を設ける場合に比べて、あおり止め具の全体コストを節約できる。ドア１に対するブラケット１３の締結位置を変更する必要もない。
【００３９】
（実施例４）  図１０および図１１は、ドア１側のワイヤー保持具６のさらに別の変形例を示す。そこでは、衝撃吸収体１１を３個の緩衝体２５と、これら緩衝体２５の両端を挟む支持具２６および受金具２７で構成した。支持具２６にはガイド筒３２を一体に形成し、受金具２７にガイド筒３２に外嵌するスライド筒６６を一体に形成した。また、緩衝体２５は断面扇形に形成した。このように、衝撃吸収体１１は複数個の緩衝体２５を含んで構成することができ、緩衝体２５の断面形状は必要に応じて任意形状に変更できる。
【００４０】
本発明のあおり止め具は、次の形態で実施することができる。ドア１に固定されるワイヤー保持体６と、ドア枠２に固定されるワイヤー保持体７と、両ワイヤー保持体６・７を連結してドア１の開放限界を規制するワイヤー５を備えており、ワイヤー５の端部に固定したエンド金具９にドア１の開放衝撃を緩和吸収する衝撃吸収体１１が設けられており、衝撃吸収体１１が低反発性ゴムで形成した緩衝体２５を主体にして構成してあるあおり止め具。
【００４１】
ドア枠２側に固定されるワイヤー保持具７は、ボールチャック４１を含んで構成する必要はなく、例えば、実施例１におけるワイヤー保持体６を、ドア１側とドア枠２側の双方に固定してあおり止め具とすることができる。その場合には、ドア１側とドア枠２側の両者に設けたワイヤー保持体６の緩衝体２５で、ワイヤー５に作用しようとする衝撃力をさらに効果的に緩和吸収できる。ただし、ワイヤー５の緊張長さを変更できないので、ドア１の開放限界を変更することはできない。ボールチャック４１を含むワイヤー保持具７をドア１側に固定し、衝撃吸収体１１を含むワイヤー保持体６をドア枠２側に設けてもよい。
【００４２】
上記の実施例以外に、エンド金具９は球状に形成する必要はなく、短軸状や直方体状に形成することができる。衝撃吸収体１１は緩衝体２５と支持具２６、または緩衝体２５と受金具２７で構成して構造を簡素化できる。必要があれば、エンド金具９を緩衝体２５で直接受け止めてワイヤー５の衝撃を緩和吸収することができる。緩衝体２５は筒構造とする必要はない。例えば緩衝体２５を丸軸または各軸状に形成し、軸周面から軸中心に達する溝を一端から他端にわたって形成し、これを挿通穴２９とすることができる。さらに、低反発性ゴムシートを渦巻状に巻いて緩衝体２５とすることができる。
【００４３】
衝撃吸収体１１または緩衝体２５は、エンド金具９と一体化することができる。その場合には、ドア１には単にブラケット１３を固定しておき、衝撃吸収体１１または緩衝体２５がエンド金具９とともにブラケット１３に接当して、ワイヤー５に作用する衝撃を緩衝体２５で緩和吸収することができる。
【図面の簡単な説明】
【００４４】
【図１】実施例１に係るあおり止め具の使用状態を示す斜視図である。
【図２】ドア側のワイヤー保持体の分解斜視図である。
【図３】ドア側のワイヤー保持体の縦断正面図である。
【図４】ドア枠側のワイヤー保持体の縦断面図である。
【図５】衝撃吸収体による衝撃緩和状態を示す横断平面図である。
【図６】実施例２に係るあおり止め具の使用状態を示す斜視図である。
【図７】実施例２に係るドア枠側のワイヤー保持体の縦断側面図である。
【図８】実施例３に係るドア枠側のワイヤー保持体の縦断側面図である。
【図９】実施例３に係る衝撃吸収体による衝撃緩和状態を示す横断平面図である。
【図１０】実施例４に係るドア枠側のワイヤー保持体の縦断側面図である。
【図１１】図１０におけるＡ−Ａ線断面図である。
【符号の説明】
【００４５】
１  ドア
２  ドア枠
５  ワイヤー
６・７  ワイヤー保持体
９  エンド金具
１１  衝撃吸収体
１３  ブラケット
２５  緩衝体
２６  支持具
２７  受金具
【図１】
2008274672.tif 000003
【図２】
2008274672.tif 000004
【図３】
2008274672.tif 000005
【図４】
2008274672.tif 000006
【図５】
2008274672.tif 000007
【図６】
2008274672.tif 000008
【図７】
2008274672.tif 000009
【図８】
2008274672.tif 000010
【図９】
2008274672.tif 000011
【図１０】
2008274672.tif 000012
【図１１】
2008274672.tif 000013